(57)【要約】【課題】乳頭や乳房の形が衣類表面に現れることを防止するとともに、乳房下垂下付け根における皮膚の擦れ防止機能を有する女性用衣類を提供する。【解決手段】本考案のブラジャー不要の女性用衣類は、前身頃と、後身頃とを有し、前身頃の内側胸部に配置される表面化防止パーツ及び擦れ防止パーツを有する。この場合において、前身頃内側又は外側に縫い付けられる布部材を有し、表面化防止パーツは、布部材と前身頃の間に保持されることが好ましい。また、表面化防止パーツは、前身頃部の一部として形成されていることも好ましい。【選択図】図１
0003178002.tif 000002
【実用新案登録請求の範囲】
【請求項１】
前身頃と、後身頃とを有し、
前記前身頃の内側胸部に配置される表面化防止パーツ及び擦れ防止パーツを有するブラジャー不要の女性用衣類。
【請求項２】
前記前身頃内側又は外側に縫い付けられる布部材を有し、
前記表面化防止パーツは、前記布部材と前記前身頃の間に保持される請求項１記載のブラジャー不要の女性用衣類。
【請求項３】
前記表面化防止パーツは、前記前身頃部の一部として形成されている請求項１記載のブラジャー不要の女性用衣類。
【請求項４】
前記擦れ防止パーツは、略帯状であって、両端に着脱部を有し、前記後身頃の袖ぐり部において着脱可能である請求項１記載のブラジャー不要の女性用衣類。
【請求項５】
前記擦れ防止パーツは、略帯状であって、両端が前記後身頃の袖ぐり部に縫い付けられている請求項１記載のブラジャー不要の女性用衣類。
【請求項６】
前記擦れ防止パーツは、中央部において分離可能となっている請求項４又は５記載のブラジャー不要の女性用衣類。
【請求項７】
前記擦れ防止パーツは、両端に吊り部材が接続され、前記吊り部材の端部には着脱部が備えられ、前記着脱部により前記前身頃、前記後身頃又は前記前身頃と前記後身頃の境目において着脱可能である請求項４又は５記載のブラジャー不要の女性用衣類。
【請求項８】
前記擦れ防止パーツは、両端に吊り部材が接続され、前記吊り部材の端部は前記前身頃、前記後身頃又は前記前身頃と前記後身頃の境目に縫いつけられている請求項４又は５記載のブラジャー不要の女性用衣類。
【考案の詳細な説明】
【技術分野】
【０００１】
本考案は、ブラジャー不要の女性用衣類に関する。
【背景技術】
【０００２】
従来、乳房の形を整えて凸形状に保つ（以下単に「保形する」という。）部分を有するブラジャー不要のアウターウエアやインナーウエアが、様々なデザインで考案・製品化されている。この具体例として、女性用衣類の前身頃に保形するためのカップやパットなどを設けたものや、保形する部材を身体に密着するように設けたものなどがある。
【０００３】
しかしながら、これらは保形する部材を衣類着用者個々の体型に合わせず画一的に設けてあるため、乳房と保形する部材のずれを生じ、乳房のはみ出し等が起こる。中でも、保形する部材を身体に密着するように設けたものは圧迫感や高温時の不快感が加わってしまう。
【０００４】
上記を解決する公知の技術として、例えば、下記実用新案登録文献１に、前身頃胸部に表面化防止パーツを有する女性用衣類が開示されている。
【先行技術文献】
【特許文献】
【０００５】
【特許文献１】特開２００９−１９７３７８号公報
【考案の開示】
【考案が解決しようとする課題】
【０００６】
確かに上記女性用衣類を用いると、圧迫感や高温時の不快感を除去することができる点において有用である。
【０００７】
しかしながら、上記の女性用衣類であっても、乳房下垂下付け根において皮膚の擦れを生じてしまう場合がある。特にこの擦れは、乳房下垂度の高い高齢者、特大乳房保持者、身体の動きが不自由な被介護者等において顕著である。
【０００８】
そこで、本考案は、上記課題を鑑み、乳頭や乳房の形が衣類表面に現れることを防止するとともに、乳房下垂下付け根における皮膚の擦れ防止機能を有する女性用衣類を提供することを目的とする。
【課題を解決するための手段】
【０００９】
上述の目的を達成する本考案の第一の観点に係るブラジャー不要の女性用衣類は、前身頃と、後身頃とを有し、前身頃の内側胸部に配置される表面化防止パーツ及び擦れ防止パーツを有する。
【考案の効果】
【００１０】
本考案によれば、乳頭や乳房の形が衣類表面に現れることを防止するとともに、乳房下垂下付け根における皮膚の擦れ防止機能を有する女性用衣類を提供することができる。
【図面の簡単な説明】
【００１１】
【図１】実施形態１に係る女性用衣類を前から見た場合の外観を示す概略図である。
【図２】実施形態１に係る女性用衣類を後から見た場合の外観を示す概略図である。
【図３】実施形態１に係る女性用衣類の前身頃を内側から見た場合の概略図である。
【図４】実施形態１に係る女性用衣類の、前身頃、表面防止化パーツ、布部材の断面を示す概略図である。
【図５】実施形態１に係る女性用衣類の表面防止化パーツの形状の例を示す図である。
【図６】実施形態１に係る女性用衣類の表面防止化パーツの形状の他の例を示す図である。
【図７】実施形態１に係る女性用衣類の布部材の縁部分の部分拡大図を示す図である。
【図８】実施形態１に係る女性用衣類の後身頃を内側から見た場合の概略図である。
【図９】実施形態１に係る女性用衣類の擦れ防止パーツの形状の例を示す図である。
【図１０】実施形態１に係る女性用衣類の擦れ防止パーツの形状の他の例を示す図である。
【図１１】実施形態１に係る女性用衣類の擦れ防止パーツの形状の他の例を示す図である。
【図１２】実施形態１に係る女性用衣類の着脱部がボタンである場合の例を示す図である。
【図１３】実施形態１に係る女性用衣類の着脱部がクリップである場合の例を示す図である。
【図１４】実施形態１に係る女性用衣類の他の例の外観を示す概略図である。
【図１５】実施形態１に係る女性用衣類の他の例の前身頃を内側から見た場合の例を示す図である。
【図１６】実施形態１に係る女性用衣類の他の例の外観を示す概略図である。
【図１７】実施形態１に係る女性用衣類の擦れ防止パーツを分離可能とした場合の例を示す図である。
【図１８】実施形態２に係る女性用衣類の前身頃を内側から見た場合の概略図である。
【図１９】実施形態２に係る女性用衣類の擦れ防止パーツの形状の例を示す図である。
【図２０】実施形態２に係る女性用衣類の擦れ防止パーツの形状の他の例を示す図である。
【図２１】実施形態３に係る女性用衣類の表面防止化パーツ及び擦れ防止パーツの形状の例を示す図である。
【図２２】実施形態３に係る女性用衣類の表面防止化パーツ及び擦れ防止パーツの形状の他の例を示す図である。
【図２３】実施形態３に係る女性用衣類の表面防止化パーツ及び擦れ防止パーツの形状の他の例を示す図である。
【図２４】実施形態３に係る女性用衣類の表面防止化パーツ及び擦れ防止パーツの形状の他の例を示す図である。
【考案を実施するための最良の形態】
【００１２】
以下、本考案を実施するための形態について図面を用いて詳細に説明する。ただし、本考案は多くの異なる形態による実施が可能であり、以下に示す実施形態の例示にのみ限定されるわけではない。
【００１３】
（実施形態１）
図１は、本実施形態に係る女性用衣類（以下「本衣類」という。）１を前から見た場合の概略を示す図であり、図２は、本衣類１を後から見た場合の概略を示す図である。また図３は、本衣類１を裏返して前身頃２を見た場合の図である。本衣類１は、前身頃２と、後身頃３とを有し、前身頃２の内側胸部に配置される表面化防止パーツ４及び擦れ防止パーツ５を有する。
【００１４】
本衣類１において、前身頃２とは、袖や襟を除いた胴部分に相当する衣類の一部分であって、着用者にとって前側に位置するものをいう。なお前身頃２の材質としては、通常の衣類としての使用を想定している限りにおいて何ら限定を受けることはなく、例えば綿、絹、麻、天然ゴム等の天然繊維、ポリエステル、ポリウレタン、合成ゴム等の合成繊維、並びに、上記天然繊維及び上記合成繊維を組み合わせたものを用いることができる。
【００１５】
本図で示すように、本衣類１の前身頃２には、表面化防止パーツ４が配置されている。本実施形態にかかる表面化防止パーツ４は、乳頭や乳房（以下「乳房等」という。）の形状が表面化してしまうことを防止するパーツであって、前身頃２の内側には、布部材２１が縫い付けられており、この布部材２１と前身頃２の間に、表面化防止パーツ４が挟まれている。より具体的に説明すると、表面化防止パーツ４は、乳房等が隠れる範囲に配置されている。図４に、前身頃２、表面防止化パーツ４、布部材２１の概略断面図を示しておく。なお、表面防止化パーツ４及び布部材２１は、前身頃の内側に配置しても良いし、外側に配置しても良い。
【００１６】
本実施形態において、表面化防止パーツ４の形状は、限定されるわけではないが、長方形の上両角を欠いた形状であることが好ましい。このようにすることで、乳房等の形状が表面化してしまうことを防止することができる一方で、腕の動きを阻害しないようにすることができるといった利点がある。図５にこの形状の概略を示す。もちろん表面化防止パーツ４の形状は、これに限られず、この他の一例として、例えば図６で示すように、台形であっても良い。
【００１７】
表面化防止パーツ４は、乳房等の形状が表面化してしまうことを防止できるよう、適切な硬さ、通気性、伸縮性を備えていることが好ましく、例えばネット状の生地を採用することができる。より具体的には、ネット状の天然繊維、合成繊維、並びに天然繊維及び合成繊維を組み合わせたものを採用することができる。なお限定されるわけではないが、ネット状の場合、サイズとして、糸の太さ（糸を撚ったものである場合は当該糸を撚ったものの太さ）は０．２ｍｍ以上であることが好ましく、網目の大きさは１ｍｍ以上８ｍｍ以下の範囲にあることが好ましい。
【００１８】
また本実施形態において、布部材２１は、表面化防止パーツ４を保持するとともに、表面化防止パーツ４が直接乳房等に触れるのを防止して適度な肌触りを着用者に与えることができる。特に、表面化防止パーツ４が硬い材質や粗い材質である場合有効である。
【００１９】
本実施形態において、布部材２１は、その縁部分が前身頃２に縫い付けられているが、縦方向（首から裾方向）の縁部分２１１の一部には縫われていない部分２１１１が設けられ、たるみをもたせていることが好ましい。このように、縫われていない部分を設けておくことで、洗濯を重ね、布部材２１が縮んだとしても、この縮みが前身頃２を引っ張り、歪みを生じさせてしまうおそれが少なくなる、前身頃生地と布部の収縮差を解消することができるといった利点がある。なおこのたるみの位置や量については適宜調整可能であり限定されるわけではないが、縫われていない部分の位置としては布部材２１の下辺２１２から５ｃｍ以上１５ｃｍ以下の範囲内であることが好ましく、そのたるみの量は概ね１ｃｍ以上５ｃｍ以下の範囲内であることが好ましい。この縁部分２１１の部分拡大図を図７に示しておく。
【００２０】
本衣類１において、後身頃３とは、袖や襟を除いた胴部分に相当する衣類の一部分であって、着用者にとって後側（背中側）に位置するものをいう。図８は、本衣類１を裏返して後身頃３を見た場合の図である。後身頃３の材質は特に限定されるわけではなく、前身頃２と同一の材料を用いることができる。なお後身頃３と前身頃２とは、縁において縫い合わされており、衣類の基本的な構造を構成している。
【００２１】
また本衣類１には、擦れ防止パーツ５が付されている。擦れ防止パーツ５とは、乳房下垂下付け根のすれ防止を行なうことができる部材であって、擦れ防止パーツ５をこの乳房下垂下付け根に位置させることで乳房下垂下付け根が胴側の皮膚と擦れてしまうことを防止することができる。
【００２２】
擦れ防止パーツ５の材質としては、上記の機能を有する限りにおいて限定されるわけではないが、例えば綿、絹、麻、天然ゴム等の天然繊維、ポリエステル、ポリウレタン、合成ゴム等の合成繊維、並びに、上記天然繊維及び上記合成繊維を組み合わせたものを用いることができる。
【００２３】
また本実施形態において擦れ防止パーツ５の形状は、限定されるわけではないが、略帯状であって、両端に着脱部５１を有していることが好ましい。このようにすることで、適宜取り外しが可能となり利便性が高まるとともに、後身頃側にも着脱部を複数配置することで、擦れ防止パーツ５の位置を調節できるようになるといった利点がある。
【００２４】
また本実施形態において、擦れ防止パーツ５は、略帯状であることが好ましい。このようにすることで横方向に擦れ防止パーツ５を配置し、乳房下垂下付け根に配置させることができる。この擦れ防止パーツ５の一例を示しておく。ここで「略帯状」とは、図９で示すように、一定の幅及び一定の長さを有して構成されている完全な帯形状のものを含むことはもちろんであるが、例えば図１０で示すように、両端が絞られている形状であってもよい。更には、図１１で示すように丸みを帯びたものであってもよく、幅及び長さを有し、衣類横方向に配置することができるものである限りにおいて限定されない。なお特に限定されるわけではないが、擦れ防止パーツ５の幅は４ｃｍ以上１５ｃｍ以下の範囲であることが好ましい。
【００２５】
また本実施形態において擦れ防止パーツ５の着脱部５１は、限定されるわけではないが、例えばボタン、ホック、スナップ等の凹凸具、面ファスナー等を採用することができる。
なおこれら着脱部がボタン、ホック、スナップ、面ファスナー等の場合、必要な受け（ボタンホール、フック受け等）は別途後身頃の袖ぐり部に設けておくことが好ましい。図１２に着脱部５１がボタンの場合の一例を示しておく。なおこの場合、いずれにボタンを付してもよいが、後身頃又は前身頃側にボタンがないほうが擦れ防止パーツを外した場合にボタンが使用者の体に当たることがないため好ましい。また、着脱部５１はクリップとすることもできる。図１３にクリップ等の布を挟み込むことのできる凹凸具とした場合の例を示しておく。このようにすることで、上記受けを設けなくても袖ぐり部や縫い代部に自在に着脱することができるようになる。
【００２６】
上記した通り、擦れ防止パーツ５が着脱部を採用し、ボタン、ホック、スナップ、面ファスナー等である場合、後身頃の袖ぐり部３１において、着脱部５１が付され、擦れ防止パーツ５が着脱可能となっている。後身頃の袖ぐり部に配置させることで、着用者の背中側から擦れ防止パーツ５を引っぱることとなるため、例えば前かがみになった場合などに擦れ防止パーツ５がずれてしまうことを防止しやすくなるといった利点がある。なお「袖ぐり部」とは、袖と縫い合わされる部分（縫い代を含む。）をいう。この部分に設けることで着脱部５１を設けたとしても特段の違和感を感じることなく着用することができる。なお、擦れ防止パーツ５の袖ぐり部の設置位置としては、限定されるわけではないが、例えば下端から１０ｃｍ以下の範囲に置いておくことが好ましい。この範囲に収めておくことで、乳房下垂下付け根に過度に挿入してしまうことを防止することができる。
【００２７】
以上、本実施形態によって、乳頭や乳房の形が衣類表面に現れることを防止するとともに、乳房下垂下付け根における皮膚の擦れ防止機能を有する女性用衣類を提供することができる。
【００２８】
なお本実施形態１では、表面化防止パーツ４は、布部材２１により挟み込まれているが、表面防止化パーツ４が前身頃の一部として形成されていてもよい。図１４にこの場合の例を示しておく。本図は本衣類のこの他の一例の外観を示す図である。このようにすることで、別途の材料を付加することなく一体で形成できる。
【００２９】
また、本実施形態では、前開きとなっていない前身頃を採用しているが、前身頃２は、前開きとなっているものも採用することができる。この場合、例えば図１５で示すように、表面化防止パーツ４及び布部材２１を前開き部分で分割し、そのそれぞれにおいて布部材２１の縁を縫い合わせることで実現することができる。本図は、衣類の内側から前身頃２を見た場合の図である。
【００３０】
さらに、上記の他の例を組み合わせ、表面防止化パーツ４を前身頃の一部として一体に形成するとともに、前開きの前身頃を採用しても良い。この場合の例を図１６に示しておく。本図は、衣類の外側（前側）から見た場合の図である。
【００３１】
また、本実施形態では、擦れ防止パーツ５の両端には、着脱部が付されている例を示しているが、特に着脱を考慮しない場合、両端で後身頃の袖ぐり部に縫い付けても構わない。このようにしても本実施形態同様の効果を得ることができる。
【００３２】
更に、本実施形態では、擦れ防止パーツ５は、一体の略帯状となっているが、上記前身頃が前開きとなっている場合等においては、擦れ防止パーツ５は、中央部において分離可能となっていることも好ましい。このようにすることで、擦れ防止パーツの着脱をより容易にすることができ、特に前開きに応じて防止パーツも開くことができ、前開きにより対応しやすくなるといった利点がある。またこの場合、擦れ防止パーツ５の中央の結合部分には両端と同様、着脱部５２を設けておくことが好ましい。図１７に擦れ防止パーツの例を示しておく。
【００３３】
（実施形態２）
本実施形態に係る女性用衣類（以下「本衣類」という。）１は、実施形態１とほぼ同様であるが、擦れ防止パーツ５の形状が実施形態１と異なる。図１８は、本衣類１を裏返して前身頃２を見た場合の図である。本衣類１は、上記実施形態１と同様、前身頃２と、後身頃３とを有し、前身頃２の内側胸部に配置される表面化防止パーツ４及び擦れ防止パーツ５を有する。なお以下本実施形態では、実施形態１と同様の部分については説明を省略し、異なる部分について説明を行なう。
【００３４】
本衣類において、擦れ防止パーツ５は、両端に吊り部材５３が接続され、吊り部材５３の端部にも着脱部５１が備えられ、着脱部５１により前身頃と後身頃の境目における縫い代に着脱可能となっている。このようにすることで、上記実施形態１と同様の効果を達成することができるとともに、バストアップを図ることができるようになるといった効果がある。図１９、図２０に、本実施形態に係る擦れ防止パーツ５の例を示しておく。また、本実施形態では、上記実施形態１の場合と同様、擦れ防止パーツ５の本体部分を中央で二つに分割し、それらを着脱部５２によって接続する構成としても良い。このようにすることで前開きの衣類形状に対応させることができるといった効果がある。
【００３５】
（実施形態３）
本実施形態に係る女性用衣類（以下「本衣類」という。）１は、実施形態２とほぼ同様であるが、表面化防止パーツ４および擦れ防止パーツ５の形状が実施形態１と異なる。図２１は、表面化防止パーツ４及び擦れ防止パーツ５の例を示す図である。なお以下本実施形態では、実施形態２と同様の部分については説明を省略し、異なる部分について説明を行なう。
【００３６】
本図で示されるように、表面化防止パーツ４と擦れ防止パーツ５は一体に形成されており、擦れ防止パーツ５の両端に着脱部５１を有し、後身頃の袖ぐり部３１において着脱可能であり、表面化防止パーツ４の両側辺２１１側には吊り部材５３が接続され、前記吊り部材の端部にも着脱部５１を有し、着脱部により前身頃と後身頃の境目における縫い代において着脱可能である。
【００３７】
このようにすることで、本衣類は、バストの表面化防止、擦れ防止及びバストアップを両立させることができるとともに、一体に用いることができ着脱がより容易となるといった効果がある。特に本構成を採用すると、通常の衣類であっても、この組み合わせたパーツを用いることで簡単に表面化防止、擦れ防止及びバストアップを達成することができるといった効果がある。なお図２２に、本実施形態に係る他の例を示しておく。本図の場合、表面化防止パーツ４と擦れ防止パーツ５とが一体に形成され、表面防止化パーツ５の両角部に吊り部材５３が接続され、更に吊り部材５３の先端部に着脱部５１が配置されている。このようにしても上記と同様の効果を達成することができる。また図２３、図２４にも他の例を示しておく。なお図２４の場合は、吊り部材を設けず、表面化防止パーツ４の両角部に着脱部５１を設ける構造としている。このようにすることで上記と同様の効果を得ることができ、しかも表面化防止パーツ４の面積を広くすることができるといった効果がある。  
【産業上の利用可能性】
【００３８】
本衣類は、衣類として産業上の利用可能性がある。
【図１】
0003178002.tif 000003
【図２】
0003178002.tif 000004
【図３】
0003178002.tif 000005
【図４】
0003178002.tif 000006
【図５】
0003178002.tif 000007
【図６】
0003178002.tif 000008
【図７】
0003178002.tif 000009
【図８】
0003178002.tif 000010
【図９】
0003178002.tif 000011
【図１０】
0003178002.tif 000012
【図１１】
0003178002.tif 000013
【図１２】
0003178002.tif 000014
【図１３】
0003178002.tif 000015
【図１４】
0003178002.tif 000016
【図１５】
0003178002.tif 000017
【図１６】
0003178002.tif 000018
【図１７】
0003178002.tif 000019
【図１８】
0003178002.tif 000020
【図１９】
0003178002.tif 000021
【図２０】
0003178002.tif 000022
【図２１】
0003178002.tif 000023
【図２２】
0003178002.tif 000024
【図２３】
0003178002.tif 000025
【図２４】
0003178002.tif 000026